(57)【要約】  ケーブル固定装置を開示する。固定装置は、骨折を固定するか又は他の医療用途のためにポリマーケーブルにおける張力を維持するように構成される。実施形態では、骨折を固定する固定装置は、本体と突刺要素とを備え、固定装置は、突刺要素を作動させることにより、本体内に配置されたポリマーケーブルを突き刺すように構成される。実施形態では、固定装置は再緊張部材をさらに備え、それは、ポリマーが突刺要素によって突き刺された後にポリマーケーブルにおける張力を増大させるように動作させることができる。実施形態では、ポリマーケーブルは編組又はヤーンを含む。【選択図】なし
2020536595.tif 000002
【特許請求の範囲】
【請求項１】
本体と突刺要素とを備える、骨折を固定する固定装置であって、前記突刺要素を作動させることにより、前記本体内に配置されたポリマーケーブルを突き刺すように構成されている固定装置。
【請求項２】
ａ．本体と、
ｂ．前記本体を貫通する貫通穴と、
ｃ．前記本体の外面から進み、且つ突刺要素を受け入れるように配置されたボアと、
ｄ．前記ボア内の突刺要素と、
を備え、
前記突刺要素を作動させることにより、前記貫通穴内に配置されたポリマーケーブルを突き刺すように構成されている、請求項１に記載の固定装置。
【請求項３】
ａ．本体と、
ｂ．前記本体を貫通する貫通穴と、
ｃ．前記貫通穴内に位置決めされ、前記貫通穴と同軸上に配置され、且つ前記本体の外周部を越えて延在する再緊張部材と、
ｄ．前記再緊張部材の外面から進み、且つ突刺要素を受け入れるように配置されたボアと、
ｅ．前記ボア内の突刺要素と、
を備え、
前記突刺要素を作動させることにより、前記貫通穴内に配置されたポリマーケーブルを突き刺すように構成されている、請求項１又は２に記載の固定装置。
【請求項４】
ａ．本体と、
ｂ．前記本体を貫通する貫通穴と、
ｃ．前記貫通穴内に位置決めされた再緊張部材であって、前記貫通穴と同軸上に配置され、且つ前記本体の外周部を越えて延在する再緊張部材と、
ｄ．前記再緊張部材の外面から進み、且つ突刺要素を受け入れるように配置されたボアと、
ｅ．前記ボア内に存在する突刺要素と、
ｆ．前記本体の外側から前記貫通穴を通って進み、且つ前記突刺要素を少なくとも１つの方向において制約するように構成されたスロットと、
を備え、
前記突刺要素を作動させることにより、前記貫通穴内に配置されたポリマーケーブルを突き刺すように構成されている、請求項１〜３のいずれか一項に記載の固定装置。
【請求項５】
前記再緊張部材が、ナットが係合するように構成され、前記再緊張部材と係合した前記ナットを前進させることにより、前記突刺要素が前記スロット内で移動する、請求項４に記載の固定装置。
【請求項６】
前記再緊張部材が、前記突刺要素によって突き刺されたポリマーケーブルにおける張力を増大させるように構成されている、請求項３又は４に記載の固定装置。
【請求項７】
前記スロットが前記貫通穴を通って延在し、前記ボアが前記再緊張部材を通って延在している、請求項４〜６のいずれか一項に記載の固定装置。
【請求項８】
第２突刺要素をさらに備え、前記第２突刺要素を作動させることにより、前記本体内に配置されたポリマーケーブルを突き刺すように構成されている、請求項１〜７のいずれか一項に記載の固定装置。
【請求項９】
ｇ．前記本体を貫通する第２貫通穴と、
ｈ．前記第２貫通穴内に位置決めされた第２再緊張部材であって、前記第２貫通穴と同軸上に配置され、且つ前記本体の外周部を越えて延在する第２再緊張部材と、
ｉ．前記第２再緊張部材の外面から進み、且つ第２突刺要素を受け入れるように配置された第２ボアと、
ｊ．前記第２ボア内に存在する第２突刺要素と、
ｋ．前記本体の外側から前記第２貫通穴を通って進み、且つ前記第２突刺要素を少なくとも１つの方向において制約するように構成された第２スロットと、
をさらに備え、
前記第２突刺要素を作動させることにより、前記第２貫通穴内に配置されたポリマーケーブルを突き刺すように構成されている、請求項１〜８のいずれか一項に記載の固定装置。
【請求項１０】
前記第１再緊張部材及び前記第２再緊張部材が、前記本体の両側に配置されている、請求項８又は９に記載の固定装置。
【請求項１１】
前記固定装置を骨プレート又は骨に締結するように構成された、前記本体上の締結具をさらに備える、請求項１〜１０のいずれか一項に記載の固定装置。
【請求項１２】
前記再緊張部材が、中空円柱の形状を備える、請求項３〜１１のいずれか一項に記載の固定装置。
【請求項１３】
前記再緊張部材が、前記貫通穴が前記本体に入り且つ／又は前記本体から出る方向に対して平行である方向に摺動可能である、請求項３〜１２のいずれか一項に記載の固定装置。
【請求項１４】
前記スロットが、前記突刺要素が前記貫通穴の軸と同じ方向に移動することができるように構成され、且つ、前記突刺要素を他の方向において実質的に制約する、請求項４〜１３のいずれか一項に記載の固定装置。
【請求項１５】
骨折を固定する方法であって、
ａ．請求項１〜１４のいずれか一項に記載の固定装置を提供するステップと、
ｂ．ポリマーケーブルを提供するステップと、
ｃ．前記ポリマーケーブルによる安定化を必要としてヒト又は動物の身体の一部を安定させるステップと、
ｄ．前記突刺要素を作動させ、それにより、前記ポリマーケーブルを突き刺し、前記ポリマーケーブルを適所に固定するステップと、
を含む、骨折を固定する方法。
【請求項１６】
前記本体に前記ポリマーケーブルを通すステップをさらに含む、請求項１５に記載の骨折を固定する方法。
【請求項１７】
前記再緊張部材を移動させ、それにより前記ポリマーケーブルにおける張力を増大させるステップをさらに含む、請求項１５又は１６に記載の方法。
【請求項１８】
前記ポリマーケーブルが、ポリマーファイバの編組又はヤーンを含み、前記ポリマーケーブルの前記突刺が、前記突刺要素をポリマーファイバの前記編組又はヤーンに通すことによって実施される、請求項１５〜１７のいずれか一項に記載の方法。
【請求項１９】
骨折を固定するキットであって、
ａ．請求項１〜１４のいずれか一項に記載の固定装置と、
ｂ．骨折を固定することができるポリマーケーブルと、
を備えるキット。
【請求項２０】
ａ．請求項１〜１４のいずれか一項に記載の固定装置と、
ｂ．前記本体内に配置されたポリマーケーブルと、
を備える固定システム。
【請求項２１】
前記ポリマーケーブルがポリマーファイバを含む、請求項１〜２０のいずれか一項に記載の固定システム、キット又は方法。
【請求項２２】
前記ポリマーケーブルが、ポリマーファイバの編組又はポリマーファイバのヤーンを含む、請求項１〜２１のいずれか一項に記載の固定システム、キット又は方法。
【発明の詳細な説明】
【発明の詳細な説明】
【０００１】
［関連出願の相互参照］
この出願は、２０１７年９月１５日に出願された米国仮特許出願第６２／５５８９５３号明細書と、２０１７年１２月１９日に出願された米国仮特許出願第６２／６０７３５９号明細書とに対する優先権を主張する国際出願であり、上記出願の各々の内容全体が全体として参照により本明細書に援用される。
【０００２】
［分野］
本発明は、ケーブルと用いると有用な医療用固定装置と、固定装置及びポリマーケーブルを備える材料のキットと、骨折を固定する方法とに関する。
【０００３】
［背景］
多くの外科処置において、骨等の身体の一部を適所に固定するために、外科用ケーブルが使用される。既存のケーブルは、通常、金属製である。たとえば、骨折は、固定装置に鋼ケーブルを通すか又は固定装置の上に鋼ケーブルを巻き付け、ケーブルにおいて張力を維持するように鋼ケーブルを適所で圧着することにより、固定することができる。
【０００４】
ポリマーケーブルは、より柔軟であり、且つ概して取扱いがより容易であるため、鋼ケーブルより好まれる可能性がある。ポリマーケーブル用の固定装置は、Ｋｉｎａｍｅｄ，Ｉｎｃ．に譲渡された米国特許第７２０７０９０号明細書に記載されている。この固定装置は、テーパになっている空所を有する本体と、空所内に挿入されるくさび状プラグとを利用する。プラグが本体に挿入されると、ケーブルを受け入れることができるテーパ状チャネルが画定される。
【０００５】
［概要］
超高分子量ポリエチレン（ＵＨＷＭＰＥ）ケーブル等のポリマーケーブルは、金属ケーブルと使用されるように設計された既存の固定装置での実施が困難であることが分かった。ポリマーケーブルは、既存の固定装置では、圧着した後、金属ケーブルと同程度まで張力を保持しないことが分かった。いくつかのポリマーケーブルは編み組まれており、それは、既存の装置において張力を維持するそれらの能力にさらに影響を与える可能性がある。
【０００６】
本明細書では、先行技術による固定装置より高い引抜き力でポリマーケーブルを保持することができ、より小さくすることができ、より軽量にすることができ、操作をより簡単にすることができ、より安価にすることができ、製造をより容易にすることができ、又は、既存の固定装置より他の意味でより有利であり得る、固定装置を開示する。
【０００７】
実施形態では、骨折を固定する固定装置は、本体と突刺要素とを備え、固定装置は、突刺要素を作動させることにより、本体内に配置されたポリマーケーブルを貫通するように構成されている。
【図面の簡単な説明】
【０００８】
【図１】図１は、ケーブル固定装置の第１実施形態の斜視図である。
【図２】図２は、ケーブル固定装置の第２実施形態の斜視図である。
【図３】図３は、ケーブル固定装置の第３実施形態の断面図である。
【図４Ａ】図４Ａは、ケーブル固定装置の第４実施形態の側面図である。
【図４Ｂ】図４Ｂは、ケーブル固定装置の第４実施形態の断面図である。
【図５】図５は、ケーブル固定装置の再緊張可能な（ｒｅｔｅｎｓｉｏｎａｂｌｅ）実施形態の切取図を含む斜視図である。
【図６】図６は、ケーブル固定装置のさらなる再緊張可能な実施形態の斜視図である。
【図７】図７は、実施例１に関連する試験装置の側面図である。
【０００９】
［説明］
図１に、固定装置の実施形態を示す。装置は、本体１を備える。図示するように、本体は多面体である。本体は、球形、長円形、円柱又は環状体等、任意の好適な形状をとることができる。実施形態では、本体は金属製である。実施形態では、本体はプラスチック製である。本体は貫通穴２Ａ及び２Ｂを有し、そこにケーブル３Ａ及び３Ｂを通すことができる。実施形態では、本体は１つの貫通穴を有する。実施形態では、本体は２つの貫通穴を有する。実施形態では、本体は３つの貫通穴を有する。
【００１０】
図１に図示するように、貫通穴２Ａ及び２Ｂは、直線状の貫通穴である。実施形態では、貫通穴は直線状である。実施形態では、貫通穴は湾曲している。
【００１１】
固定装置は、ボア５内に位置決めされて示されている突刺要素４を備える。ボアは、本体の外面で開始し、１つ又は複数の貫通穴を通って延在する。通って延在するとは、ボアが貫通穴に達しても止まらず、貫通穴を通過して貫通穴の他方の側の材料まで続くことを意味する。貫通穴にポリマーケーブルを通すと、本体は、ポリマーケーブルの長さに沿って移動可能であり、それにより、ポリマーケーブルの位置とポリマーケーブルにおける張力とを制御することができる。ケーブルを適所に固定するために望まれるように、所望の張力及び位置に達すると、突刺要素４を、方向６に沿って移動させることにより作動させる。作動すると、突刺要素は、貫通穴内に配置されたケーブルを突き刺すように構成されている。突刺要素及びボアは、本体内に配置された任意の数のケーブルを突き刺すように構成することができる。
【００１２】
突刺は、たとえば、突刺要素がポリマーケーブルの直径より小さい断面を有し、且つポリマーケーブルを貫通する場合、ポリマーケーブルの一部が貫通されること、又は、突刺要素が、ポリマーケーブルの本体を、貫通することなく通過することができること、又はその２つの組合せを意味する。たとえば、突刺要素が、編組ケーブル又はヤーンのストランドを分離し、編組ケーブル又はヤーンのストランドの間を、ポリマーケーブルのストランドを貫通も切断もすることなく通過する場合、ポリマーケーブルは貫通される。好ましくは、突刺要素は、ポリマーケーブルのいかなる部分も切断しないが、本発明は、突刺要素を作動させているとき編組の１つ又は複数のストランドが切断される場合、依然として動作可能であり得る。突刺要素は、ポリマーファイバの編組等の内部ケーブルを包囲するケーブルのシースを切り込むか又は切断し、その後、編組のストランドの間を通過することができる。
【００１３】
突刺要素は、圧着工具、回転工具（ねじ回し等）、プライヤ又はハンマ等、任意の好適な手段を使用して、ケーブルを通して作動させることができる。突刺要素を作動させるとは、貫通穴内に存在するポリマーケーブル（こうしたポリマーケーブルが存在する場合）を突き刺すために突刺要素を十分移動させることを意味する。実施形態では、突刺要素は、釘又はスパイク等の平滑面を有する。実施形態では、突刺要素は釘である。実施形態では、突刺要素はねじ切られ、本体は相補的なねじボアを備える。突刺要素は、突刺要素を回転させ、それによりボアを通して突刺要素を前進させてケーブルを突き刺すことにより、作動する。
【００１４】
図１は、単一の突刺要素を図示する。ここで図２を参照すると、本体の両側に複数の突刺要素２４Ａ及び２４Ｂが示されている。突刺要素は、ボア２５内に配置されている。突刺要素２４Ａは、貫通穴内に配置されたケーブルを突き刺すように、方向２６Ａに移動させることができる。突刺要素２４Ｂは、貫通穴内に配置されたケーブルを突き刺すように、方向２６Ｂに移動させることができる。ボア２５は、突刺要素２４Ａ及び２４Ｂが同じボアを共有するように、本体の端から端まで完全に延在している。実施形態では、突刺要素は、図２におけるように、同軸上に配置されている。実施形態では、突刺要素は、２つ以上のボアが存在するように、同軸上に配置されていない。実施形態では、装置は、複数のボアとボア内に配置された突刺要素とを備え、ボアは同軸上に配置されていない。
【００１５】
実施形態では、装置は、貫通穴内に配置されたケーブルを複数の場所で突き刺すように構成されている。これは、１本のケーブルを複数の貫通穴に通して輪にすることにより、又は、複数の突刺要素及びボアを、貫通穴内のケーブルを複数の場所で突き刺すように配置することにより、行うことができる。実施形態では、装置は、本体を通って延在する複数のボアと、ボア内に配置された突刺要素とを備え、装置は、ケーブルが貫通穴内に配置されると、各突刺要素が異なる場所でケーブルを突き刺すように配置されている。
【００１６】
図３は、貫通穴が湾曲している実施形態の断面図を示す。本体３１は、湾曲している貫通穴を備える。本体３１がケーブル３３に沿って移動可能であるように、湾曲した貫通穴に沿ってケーブル３３を通すことができる。図３に図示するように、突刺要素３４は作動し、２つの場所でケーブル３３を突き刺している。実施形態では、固定装置は、複数のボアと関連する突刺要素とを備え、それにより、ケーブルを存在する突刺要素毎に少なくとも１つの場所で突き刺すことができる。
【００１７】
実施形態では、固定システムは、固定装置とポリマーケーブルとを備える。実施形態では、ポリマーケーブルは、ポリエチレンを含む。実施形態では、ポリマーケーブルはポリマーファイバを含む。ファイバは長い連続フィラメントである。実施形態では、ポリマーケーブルはポリマーファイバからなる。実施形態では、ポリマーケーブルは、個々のポリマーケーブル又はファイバの複数のストランドの編組を含む。実施形態では、ポリマーケーブルは、中空管状編組、中実円形編組、らせん状編組、平編組、コア−シース（カーンマントル又はコア−シェルと呼ばれることもある）編組、又は二重編組（ｂｒａｉｄ−ｏｎ−ｂｒａｉｄ）を含む編組を含む。二重編組は、編組コアが別の編組構造によって覆われているコア−シェル構造である。実施形態では、ポリマーケーブルはヤーンを含む。ヤーンは、複数の、通常は撚られたファイバの連続ストランドである。実施形態では、ポリマーケーブルは、編組ケーブル、編ケーブル又は織ケーブルを含み、ポリマーケーブルはポリマーファイバを含む。実施形態では、ポリマーケーブルは、モノフィラメントヤーン又はマルチフィラメントヤーンを含む。ヤーンは、抗菌性若しくは抗炎症性作用、結紮性能又は視覚コントラスト等のいくつかの特別の機能的効果を提供する、他の成分又は添加剤をさらに含むことができる。実施形態では、ポリマーケーブルは放射線不透過性薬剤を含む。
【００１８】
実施形態では、固定装置は締結具をさらに備える。締結具により、固定装置を骨プレート又は骨に締結することができる。締結具は、骨の上の締結具位置に対して相補的とすることができ、それにより、固定装置上の締結具が骨の上の相補的な締結具に固定されるとき、固定装置は骨に固定される。実施形態では、締結具は、留め具、掛け金、釘又はねじである。
【００１９】
図４Ａは、さらなる実施形態の側面図を示す。図４Ｂは、同じ実施形態の断面図を示す。図４Ａ及び図４Ｂにおける固定装置は、２本のケーブルを受け入れることができる。図４Ａにおいて、本体４１は、２つの直線状の貫通穴４２Ａ及び４２Ｂを備える。各貫通穴内に、再緊張（ｒｅｔｅｎｓｉｏｎｉｎｇ）部材４７Ａ及び４７Ｂが、貫通穴内でそれぞれ少なくとも方向４８Ａ及び４８Ｂに摺動可能であるように、貫通穴内に配置されて存在している。実施形態では、再緊張部材は、貫通穴内に圧入されている。実施形態では、再緊張部材は、貫通穴内のねじに対して相補的であるねじ山を有する。図４Ａ及び図４Ｂに示すように、再緊張部材は、中空円柱の形状を備える。再緊張部材は、貫通穴の形状に対して相補的な任意の好適な形状であり得る。実施形態では、再緊張部材は、貫通穴から偶発的に抜け出さないように、ストッパを備える。
【００２０】
２つの貫通穴と２つの再緊張部材とを備える、すなわち、貫通穴毎に１つの再緊張部材があるように示すが、実施形態では、単一の貫通穴が２つの再緊張部材を各端部に１つ有する。
【００２１】
実施形態では、貫通穴はねじ切られており、再緊張部材は、貫通穴に対して相補的なねじ山を有し、それにより、ねじ山に沿って再緊張部材を前進させることにより、再緊張を達成することができる。こうした装置では、図４及び図５に開示する圧入装置の場合より再緊張に対して加える必要がある手動力を小さくすることができる。各再緊張部材４７Ａ及び４７Ｂは、ボアと、ボア内に配置されたそれぞれ突刺要素４４Ａ及び４４Ｂとを備える。突刺要素４４Ａ及び４４Ｂは、再緊張部材内に配置されたケーブルを突き刺すように、それぞれ方向４６Ａ及び４６Ｂに移動させることができる。ボアは、再緊張部材を完全に貫通することができ、又は、一方の側のみを貫通することができる。図４Ａ及び図４Ｂに示すように、ボアは、再緊張部材の一方の側のみを貫通する。
【００２２】
図４Ｂは、動作中の図４の固定装置を示す。ケーブル４３Ａ及び４３Ｂが貫通穴４２Ａ及び４２Ｂ並びに再緊張部材４７Ａ及び４７Ｂに通されている。ケーブルには張力がかけられ、突刺要素４４Ａ及び４４Ｂは作動し、したがって、ケーブル４３Ａ及び４３Ｂをそれぞれ突き刺しており、ケーブルを張力がかけられた状態で保持している。ケーブルに再度張力をかけるために、再緊張部材４７Ａ及び４７Ｂは、それぞれ方向４８Ａ及び４８Ｂに沿って摺動し、それにより、ポリマーケーブルにおける張力を増大させる。再緊張部材は、プライヤ又は圧着工具等の好適な手工具を使用して摺動させることができる。
【００２３】
図５Ａ及び図５Ｂは、ボアが再緊張部材を完全に貫通するさらなる実施形態を示す。下部ケーブルは切り取られて示されている。突刺要素が作動している。図５に示す実施形態では、突刺要素は、作動すると、本体の外面と少なくとも同一平面上になる。このように、再緊張部材は、図５Ｂに示すように、突刺要素の場所を越えて本体内に摺動することができる。
【００２４】
図６に、さらなる固定装置の実施形態を示す。図６において、固定装置は本体６１を備える。本体６１は、本体を貫通する２つの貫通穴６２Ａ及び６２Ｂを備える。貫通穴６２Ａは、スロット６３Ａと交差する。スロット６３Ａは、本体６１の外面から本体の内面に進む。貫通穴６２Ｂと交差しスロット６３Ａとは反対側であるスロット６３Ｂが、実施形態では存在するが、図６の図では不可視である。実施形態では、スロットは、本体を通って端から端までは延在しておらず、それにより、本体の両側の突刺要素は互いを妨げない。スロット６３Ａ及び６３Ｂは、突刺要素６４Ａ及び６４Ｂを受け入れるように構成されている。突刺要素６４Ａ及び６４Ｂは、それぞれ再緊張部材６７Ａ及び６７Ｂを通過するポリマーケーブルを突き刺すように作動させることができる。再緊張部材６７Ａ及び６７Ｂは、突刺要素６４Ａ及び６４Ｂをそれぞれ受け入れるように構成された、それぞれ貫通穴６８Ａ及び６８Ｂを含む。再緊張部材６７Ａ及び６７Ｂは、それぞれナット６９Ａ及び６９Ｂに対して相補的にねじ切られている。
【００２５】
動作時、再緊張部材６７Ａは、貫通穴６２Ａ内に位置決めされ、貫通穴６８Ａはスロット６３Ａと位置合わせされる。ナット６８Ａは、再緊張部材６７Ａの上にねじ込まれ、それにより、貫通穴６８Ａは、スロット６３Ａ内で完全に可視であり、スロット６３Ａに位置合わせされ、ねじ切り方向及び所望の再緊張方向に応じて、ナット６９Ａに対して最も遠い又は最も近い位置にある。ポリマーケーブル（図示せず）は、貫通穴６２Ａ、再緊張部材６７Ａ及びナット６９Ａを通して位置決めすることができる。ポリマーケーブルは、突刺要素６４Ａをスロット６３Ａ及び貫通穴６８Ａ内に挿入することにより、張力をかけ且つ突き刺すことができ、それにより、ポリマーケーブルが適所に固定される。貫通穴６２Ｂ、スロット６３Ｂ、突刺要素６４Ｂ、再緊張部材６７Ｂ、貫通穴６８Ｂ及びナット６９Ｂを含む反対側で、プロセスを繰り返すことができる。再緊張が必要であれば、ナット６９Ａ又は６９Ｂを回転させることができ、それにより、再緊張部材６７Ａ又は６７Ｂがそれぞれ前進し、ポリマーケーブルにおける張力が増大する。
【００２６】
［実施例］
図２に示すような固定装置（実施例１）と、Ｓｔｒｙｋｅｒ  Ｄａｌｌ−Ｍｉｌｅｓ（登録商標）２．０ｍｍ  Ｂｅａｄｅｄ  ＳＳ  Ｃａｂｌｅ  Ｓｌｅｅｖｅ  Ｓｅｔ部品番号３７０４−０−０５０からのステンレス鋼圧着スリーブ（実施例２）とを、ポリマーケーブルとともに試験する。実施例１の固定装置はポリマーケーブルを突き刺し、実施例２のステンレス鋼圧着スリーブはポリマーケーブルを圧着する。ポリマーケーブルは直径が２．０ｍｍであり、Ｄｙｎｅｅｍａ  Ｐｕｒｉｔｙ（登録商標）ＲＰ  １３５ｄｔｅｘ  ＴＳ１００  ＵＨＷＭＰＥファイバの１７６本のストランドから作製された編組からなる。較正のために、キットに含まれる２．０ｍｍステンレス鋼ケーブルとともにＤａｌｌ−Ｍｉｌｅｓ（登録商標）ステンレス鋼圧着スリーブ（実施例３）に対するデータも含まれる。
【００２７】
１０ｋＮロードセルが備えられたＺｗｉｃｋ  Ｚ０１０引張試験機を用いて、固定装置を試験する。図７を参照されたい。ケーブル７１を、引張試験機の上に取り付けられた２つの半分にされたブロックグリップ７３及び７４の周囲に巻き付けて、固定装置７２によって固定する。試験の前に装備全体に張力をかけるために、２Ｎのプレテンションを加える。指示された方向に、５０ｍｍ／分の試験速度を適用する。これにより、ケーブル及び固定装置に対する増大する垂直荷重が発生する。故障モードは、ケーブル滑脱又は破断のいずれかに起因する張力の喪失として定義され、それはまた試験の終了も決定する。各装備に対して、最大力（Ｆｍａｘ）を記録する。表１に結果を示す。
【００２８】
【表１】
2020536595.tif 000003
【００２９】
［例示的な実施形態のさらなる説明］
１．本体と突刺要素とを備える、骨折を固定する固定装置であって、突刺要素を作動させることにより、本体内に配置されたポリマーケーブルを突き刺すように構成されている固定装置。
【００３０】
２．骨折を固定する固定装置であって、
ａ．本体と、
ｂ．本体を貫通する貫通穴と、
ｃ．本体の外面から進み、且つ突刺要素を受け入れるように配置されたボアと、
ｄ．ボア内の突刺要素と、
を備え、
突刺要素を作動させることにより、貫通穴内に配置されたポリマーケーブルを突き刺すように構成されている固定装置。
【００３１】
３．骨折を固定する固定装置であって、
ａ．本体と、
ｂ．本体を貫通する貫通穴と、
ｃ．貫通穴内に位置決めされ、貫通穴と同軸上に配置され、且つ本体の外周部を越えて延在する再緊張部材と、
ｄ．再緊張部材の外面から進み、且つ突刺要素を受け入れるように配置されたボアと、
ｅ．ボア内の突刺要素と、
を備え、
突刺要素を作動させることにより、貫通穴内に配置されたポリマーケーブルを突き刺すように構成されている固定装置。
【００３２】
４．骨折を固定する固定装置であって、
ａ．本体と、
ｂ．本体を貫通する貫通穴と、
ｃ．貫通穴内に位置決めされた再緊張部材であって、貫通穴と同軸上に配置され、且つ本体の外周部を越えて延在する再緊張部材と、
ｄ．再緊張部材の外面から進み、且つ突刺要素を受け入れるように配置されたボアと、
ｅ．ボア内に存在する突刺要素と、
ｆ．本体の外側から貫通穴を通って進み、且つ突刺要素を少なくとも１つの方向において制約するように構成されたスロットと、
を備え、
突刺要素を作動させることにより、貫通穴内に配置されたポリマーケーブルを突き刺すように構成されている固定装置。
【００３３】
５．骨折を固定する固定装置であって、
ａ．本体と、
ｂ．本体を貫通する貫通穴と、
ｃ．貫通穴内に位置決めされ且つナットが係合するように構成された再緊張部材であって、貫通穴と同軸上に配置され、且つ本体の外周部を越えて延在する再緊張部材と、
ｄ．再緊張部材の外面から進み、且つ突刺要素を受け入れるように配置されたボアと、
ｅ．ボア内に存在する突刺要素と、
ｆ．本体の外側から貫通穴を通って進み、且つ突刺要素を少なくとも１つの方向において制約するように構成されたスロットと、
を備え、
突刺要素を作動させることにより、貫通穴内に配置されたポリマーケーブルを突き刺すように構成されており、再緊張部材と係合したナットを前進させることにより、突刺要素がスロット内で移動する、固定装置。
【００３４】
６．骨折を固定する方法であって、
ａ．先行する例示的な実施形態のうちの任意の１つによる固定装置を提供するステップと、
ｂ．ポリマーケーブルを提供するステップと、
ｃ．ポリマーケーブルによる安定化を必要としてヒト又は動物の身体の一部を安定させるステップと、
ｄ．突刺要素を作動させ、それにより、ポリマーケーブルを突き刺し、ポリマーケーブルを固定装置に対して適所に固定するステップと、
を含む方法。
【００３５】
７．本体にポリマーケーブルを通すステップをさらに含む、先行する例示的な実施形態のうちの任意の１つによる、骨折を固定する方法。
【００３６】
８．貫通穴にポリマーケーブルを通し、突刺要素を作動させ、それにより、ポリマーケーブルを突き刺し、ポリマーケーブルを貫通穴内で適所に固定するステップをさらに含む、先行する例示的な実施形態のうちの任意の１つによる、骨折を固定する方法。
【００３７】
９．貫通穴及び再緊張部材にポリマーケーブルを通し、突刺要素を作動させ、それにより、ポリマーケーブルを突き刺し、ポリマーケーブルを貫通穴内で適所に固定するステップをさらに含む、先行する例示的な実施形態のうちの任意の１つによる、骨折を固定する方法。
【００３８】
１０．再緊張部材を移動させ、それによりポリマーケーブルにおける張力を増大させるステップをさらに含む、先行する例示的な実施形態のうちの任意の１つによる方法。
【００３９】
１１．再緊張部材を本体に向かって移動させ、それによりポリマーケーブルにおける張力を増大させるステップをさらに含む、先行する例示的な実施形態のうちの任意の１つによる方法。
【００４０】
１２．再緊張部材を本体から離れる方向に移動させ、それによりポリマーケーブルにおける張力を増大させるステップをさらに含む、先行する例示的な実施形態のうちの任意の１つによる方法。
【００４１】
１３．骨折を固定するキットであって、
ａ．先行する例示的な実施形態のうちの任意の１つによる固定装置と、
ｂ．骨折を固定することができるポリマーケーブルと、
を備えるキット。
【００４２】
１４．貫通穴が直線状である、先行する例示的な実施形態のうちの任意の１つの固定装置、キット又は方法。
【００４３】
１５．貫通穴が湾曲している、先行する例示的な実施形態のうちの任意の１つの固定装置、キット又は方法。
【００４４】
１６．突刺要素、ボア及び貫通穴が、突刺要素が貫通穴内に位置決めされたケーブルを１つの場所で突き刺すように配置されている、先行する例示的な実施形態のうちの任意の１つの固定装置、キット又は方法。
【００４５】
１７．突刺要素、ボア及び貫通穴が、突刺要素が貫通穴内に位置決めされたケーブルを複数の場所で突き刺すように配置されている、先行する例示的な実施形態のうちの任意の１つの固定装置、キット又は方法。
【００４６】
１８．突刺要素がロッドである、先行する例示的な実施形態のうちの任意の１つの固定装置、キット又は方法。
【００４７】
１９．突刺要素がスパイクである、先行する例示的な実施形態のうちの任意の１つの固定装置、キット又は方法。
【００４８】
２０．突刺要素がねじである、先行する例示的な実施形態のうちの任意の１つの固定装置、キット又は方法。
【００４９】
２１．ボア内に突刺要素と同軸上に配置された第２突刺要素をさらに備える、先行する例示的な実施形態のうちの任意の１つの固定装置、キット又は方法。
【００５０】
２２．ボアが貫通穴を通って延在している、先行する例示的な実施形態のうちの任意の１つの固定装置、キット又は方法。
【００５１】
２３．ボアが再緊張部材を通って延在している、先行する例示的な実施形態のうちの任意の１つの固定装置、キット又は方法。
【００５２】
２４．スロットが貫通穴を通って延在している、先行する例示的な実施形態のうちの任意の１つの固定装置、キット又は方法。
【００５３】
２５．再緊張部材が、貫通穴内において摺動可能に位置決めされている、先行する例示的な実施形態のうちの任意の１つの固定装置、キット又は方法。
【００５４】
２６．再緊張部材の反対側の端部における貫通穴内に配置された第２再緊張部材をさらに備える、先行する例示的な実施形態のうちの任意の１つの固定装置、キット又は方法。
【００５５】
２７．固定装置が、第２突刺要素をさらに備え、固定装置が、第２突刺要素を作動させることにより、本体内に配置されたポリマーケーブルを突き刺すように構成されている、先行する例示的な実施形態のうちの任意の１つの固定装置、キット又は方法。
【００５６】
２８．第２ボアと第２ボア内に配置された第２突刺要素とをさらに備える、先行する例示的な実施形態のうちの任意の１つの固定装置、キット又は方法。
【００５７】
２９．固定装置が、
ｅ．本体を貫通する第２貫通穴と、
ｆ．本体の外面から進み、且つ第２突刺要素を受け入れるように配置された第２ボアと、
ｇ．ボア内の第２突刺要素と、
をさらに備え、
固定装置が、第２突刺要素を作動させることにより、第２貫通穴内に配置されたポリマーケーブルを突き刺すように構成されている、先行する例示的な実施形態のうちの任意の１つの固定装置、キット又は方法。
【００５８】
３０．固定装置が、
ｆ．第２貫通穴と、
ｇ．第２貫通穴内に位置決めされ、第２貫通穴と同軸上に配置され、且つ本体の外周部を越えて延在する第２再緊張部材と、
ｈ．第２再緊張部材の外面から進み、且つ第２突刺要素を受け入れるように配置された第２ボアと、
ｉ．第２ボア内の第２突刺要素と、
をさらに備え、
固定装置が、第２突刺要素を作動させることにより、第２貫通穴内に配置されたポリマーケーブルを突き刺すように構成されている、先行する例示的な実施形態のうちの任意の１つの固定装置、キット又は方法。
【００５９】
３１．固定装置が、
ｇ．本体を貫通する第２貫通穴と、
ｈ．第２貫通穴内に位置決めされた第２再緊張部材であって、第２貫通穴と同軸上に配置され、且つ本体の外周部を越えて延在する第２再緊張部材と、
ｉ．第２再緊張部材の外面から進み、且つ第２突刺要素を受け入れるように配置された第２ボアと、
ｊ．第２ボア内に存在する第２突刺要素と、
ｋ．本体の外側から第２貫通穴を通って進み、且つ第２突刺要素を少なくとも１つの方向において制約するように構成された第２スロットと、
をさらに備え、
固定装置が、第２突刺要素を作動させることにより、第２貫通穴内に配置されたポリマーケーブルを突き刺すように構成されている、先行する例示的な実施形態のうちの任意の１つの固定装置、キット又は方法。
【００６０】
３２．固定装置が、
ｇ．本体を貫通する第２貫通穴と、
ｈ．第２貫通穴内に位置決めされ且つ第２ナットが係合するように構成された第２再緊張部材であって、第２貫通穴と同軸上に配置され、且つ本体の外周部を越えて延在する第２再緊張部材と、
ｉ．第２再緊張部材の外面から進み、且つ第２突刺要素を受け入れるように配置された第２ボアと、
ｊ．第２ボア内に存在する第２突刺要素と、
ｋ．本体の外側から第２貫通穴を通って進み、且つ第２突刺要素を少なくとも１つの方向において制約するように構成された第２スロットと、
をさらに備え、
固定装置が、第２突刺要素を作動させることにより、第２貫通穴内に配置されたポリマーケーブルを突き刺すように構成されており、第２再緊張部材と係合した第２ナットを前進させることにより、第２突刺要素がスロット内で移動する、先行する例示的な実施形態のうちの任意の１つの固定装置、キット又は方法。
【００６１】
３３．第１突刺要素及び第２突刺要素が、本体の両側に配置されている、先行する例示的な実施形態のうちの任意の１つの固定装置、キット又は方法。
【００６２】
３４．第１再緊張部材及び第２再緊張部材が、本体の両側に配置されている、先行する例示的な実施形態のうちの任意の１つの固定装置、キット又は方法。
【００６３】
３５．貫通穴がねじ切り面を備える、先行する例示的な実施形態のうちの任意の１つの固定装置、キット又は方法。
【００６４】
３６．再緊張部材がねじ切り面を備える、先行する例示的な実施形態のうちの任意の１つの固定装置、キット又は方法。
【００６５】
３７．再緊張部材の外面全体がねじ切り面を備える、先行する例示的な実施形態のうちの任意の１つの固定装置、キット又は方法。
【００６６】
３８．貫通穴がねじ切り面を備え、再緊張部材が相補的なねじ山を備える、先行する例示的な実施形態のうちの任意の１つの固定装置、キット又は方法。
【００６７】
３９．固定装置が、固定装置を骨プレート又は骨に締結するように配置された、本体上の締結具をさらに備える、先行する例示的な実施形態のうちの任意の１つの固定装置、キット又は方法。
【００６８】
４０．突刺要素が、貫通穴が本体内に入り且つ／又は本体から出る方向に対して垂直である方向に沿って移動可能である、先行する例示的な実施形態のうちの任意の１つの固定装置、キット又は方法。
【００６９】
４１．再緊張部材が、中空円柱の形状を備える、先行する例示的な実施形態のうちの任意の１つの固定装置、キット又は方法。
【００７０】
４２．再緊張部材が、貫通穴が本体に入り且つ／又は本体から出る方向に対して平行である方向に摺動可能である、先行する例示的な実施形態のうちの任意の１つの固定装置、キット又は方法。
【００７１】
４３．再緊張部材が、貫通穴が本体に入り且つ／又は本体から出る方向に対して垂直である方向に摺動可能である、先行する例示的な実施形態のうちの任意の１つの固定装置、キット又は方法。
【００７２】
４４．再緊張部材が、再緊張部材を貫通穴内で保持するように配置されたストッパをさらに備える、先行する例示的な実施形態のうちの任意の１つの固定装置、キット又は方法。
【００７３】
４５．再緊張部材が、貫通穴内に圧入されている、先行する例示的な実施形態のうちの任意の１つの固定装置、キット又は方法。
【００７４】
４６．スロットが、突刺要素が貫通穴の軸と同じ方向に移動することができるように構成されている、先行する例示的な実施形態のうちの任意の１つの固定装置、キット又は方法。
【００７５】
４７．スロットが、突刺要素が貫通穴の軸と同じ方向に移動することができるように構成され、突刺要素を他の方向において実質的に制約する、先行する例示的な実施形態のうちの任意の１つの固定装置、キット又は方法。
【００７６】
４８．
ａ．先行する例示的な実施形態のうちの任意の１つの固定装置と、
ｂ．貫通穴内に配置されたポリマーケーブルと、
を備える固定システム。
【００７７】
４９．
ａ．先行する例示的な実施形態のうちの任意の１つの固定装置と、
ｂ．本体内に配置されたポリマーケーブルと、
を備える固定システム。
【００７８】
５０．ポリマーケーブルがポリエチレンを含む、先行する例示的な実施形態のうちの任意の１つの固定システム、キット又は方法。
【００７９】
５１．ポリマーケーブルがポリマーファイバを含む、先行する例示的な実施形態のうちの任意の１つの固定システム、キット又は方法。
【００８０】
５２．ポリマーケーブルがポリマーファイバからなる、先行する例示的な実施形態のうちの任意の１つの固定システム、キット又は方法。
【００８１】
５３．ポリマーケーブルが編組又はヤーンを含む、先行する例示的な実施形態のうちの任意の１つの固定システム、キット又は方法。
【００８２】
５４．ポリマーケーブルがポリマーファイバの編組を含む、先行する例示的な実施形態のうちの任意の１つの固定システム、キット又は方法。
【００８３】
５５．ポリマーケーブルがポリエチレンファイバの編組を含む、先行する例示的な実施形態のうちの任意の１つの固定システム、キット又は方法。
【００８４】
５６．ポリマーケーブルがポリマーケーブルの編組を含む、先行する例示的な実施形態のうちの任意の１つの固定システム、キット又は方法。
【００８５】
５７．ポリマーケーブルが、中空管状編組、中実円形編組、らせん状編組、平編組、コア−シース編組又は二重編組を含む編組を含む、先行する例示的な実施形態のうちの任意のものの固定システム、キット又は方法。
【００８６】
５８．ポリマーケーブルがヤーンを含む、先行する例示的な実施形態のうちの任意の１つの固定システム、キット又は方法。
【００８７】
５９．ポリマーケーブルが、編組ケーブル、編ケーブル又は織ケーブルを含み、ケーブルがポリマーファイバを含む、先行する例示的な実施形態のうちの任意の１つの固定システム、キット又は方法。
【００８８】
６０．ポリマーケーブルがモノフィラメントヤーン又はマルチフィラメントヤーンを含む、先行する例示的な実施形態のうちの任意の１つの固定システム、キット又は方法。
【００８９】
６１．ポリマーケーブルが放射線不透過性薬剤を含む、先行する例示的な実施形態のうちの任意の１つの固定システム、キット又は方法。
【００９０】
本発明について説明する文脈における（特に、以下の特許請求の範囲の文脈における）「１つの（ａ、ａｎ）」及び「その（ｔｈｅ）」という用語並びに同様の指示物の使用は、本明細書において別段の指示がなく、文脈に明確に矛盾しない限り、単数及び複数の両方を包含するように解釈されるべきである。「備える」、「有する」、「含む」及び「包含する」という用語は、別段の言及がない限り、非限定的な（ｏｐｅｎ−ｅｎｄｅｄ）用語（すなわち、「含むが限定されない」を意味する）として解釈されるべきである。本明細書における値の範囲の記載は、本明細書において別段の指示がない限り、単に、その範囲内にある各別個の値を個々に言及する省略表現方法としての役割を果たすように意図されており、各別個の値は、本明細書において個々に記載されているかのように本明細書に組み込まれる。本明細書で提供するありとあらゆる例又は例示的な文言（たとえば、「等」）の使用は、単に、本発明をより適切に明らかにするように意図されており、別段の請求がない限り、本発明の範囲に対して限定を与えるものではない。本明細書におけるいかなる文言も、いかなる非請求要素を本発明の実施に対して本質的であるように示すものとして解釈されるべきではない。
【００９１】
本明細書では、本発明を遂行するために本発明者らに既知である最良の形態を含む、本発明の好ましい実施形態について記載している。それらの好ましい実施形態の変形は、上述した説明を読むことで、当業者には明らかとなり得る。本発明者らは、当業者が、こうした変形を適切に採用することを期待し、本発明者らは、本発明が、本明細書に具体的に記載されているもの以外の方法で実施されることを意図する。したがって、本発明は、適用可能な法律によって許容されるように、本明細書に添付の特許請求の範囲に記載されている主題のすべての変更形態及び均等物を含む。本発明の実施形態としていくつかの任意選択的な特徴を記載しているが、その記載は、別段特別な指示がなく物理的に不可能でない限り、これらの実施形態のすべての組合せを包含し、且つ具体的に開示するように意図されている。
【図１】
2020536595.tif 000004
【図２】
2020536595.tif 000005
【図３】
2020536595.tif 000006
【図４Ａ】
2020536595.tif 000007
【図４Ｂ】
2020536595.tif 000008
【図５Ａ】
2020536595.tif 000009
【図５Ｂ】
2020536595.tif 000010
【図６】
2020536595.tif 000011
【図７】
2020536595.tif 000012
【国際調査報告】
2020536595.tif 000013
2020536595.tif 000014
2020536595.tif 000015
2020536595.tif 000016